(57)【要約】  在庫追跡及び管理の方法が説明される。本方法は、アイテムの位置要求を受信することと、３つ以上の基地局を使用するアイテムの位置を判定することとを含んでも良い。本方法はまた、処理デバイスによる、アイテムの位置のマップ及びアイテム情報を生成することと、マップをユーザへ送信することと、アイテムへ位置要求を送信することとを含んでも良く、位置要求は、アイテムまたはアイテムのコンテナにその存在を示させる。【選択図】図１Ａ
2017528828.tif 000002
【特許請求の範囲】
【請求項１】
アイテムの特定及び追跡を可能にする方法であって、
コンテナ内に含有されたアイテムのクエリを実行することと、
トランスポンダによって伝送された、前記アイテムと関連付けられる、識別信号を受信することと、
前記コンテナ内に含有された前記アイテムを判定することと、
処理デバイスによる、前記コンテナ内に含有されたアイテムの在庫リストを生成することと、を含む、方法。
【請求項２】
前記コンテナ内に含有された前記アイテムの在庫リストを受信することと、
前記アイテムの在庫リストの特性を考慮した、前記コンテナ内に含有された前記アイテムの在庫リストのカテゴリを判定することと、
前記コンテナ内に含有された前記アイテムの在庫リストの前記カテゴリを提示することと、をさらに含む、請求項１に記載の方法。
【請求項３】
前記アイテムの在庫リストにないアイテムが前記コンテナ内に置かれた場合の通知を生成すること、
をさらに含む、請求項１に記載の方法。
【請求項４】
前記コンテナ内に含有された前記アイテムの在庫リストの前記カテゴリまたは前記アイテムの在庫リストと関連付けられたアクティビティを考慮した、前記コンテナ内に含有された推奨されたアイテムを提示すること、
をさらに含む、請求項１に記載の方法。
【請求項５】
前記アイテムの在庫リスト内のアイテムが前記コンテナから除外される場合の通知を生成すること、
をさらに含む、請求項１に記載の方法。
【請求項６】
コンテナ内に含有された前記アイテムの在庫リストの前記カテゴリは、ユーザ入力に応答して判定される、請求項１に記載の方法。
【請求項７】
アイテムの特定及び追跡を可能にする方法であって、
トランスポンダによって伝送された、アイテムと関連付けられる、識別信号を受信することと、
前記トランスポンダによって伝送された前記識別信号が未登録であることを判定することと、
処理デバイスによる、前記アイテムの前記特性を用いて事前にプログラムされる前記トランスポンダによって伝送された前記未登録の識別信号と関連付けられた前記アイテムの特性を抽出することと、
データベースへ、前記トランスポンダによって伝送された前記未登録の識別信号と関連付けられた前記アイテムの前記抽出された特性を伝送することと、
を含む、方法。
【請求項８】
タスクと関連付けられた前記データベース内の１つ以上のアイテムを識別することと、
前記タスクと関連付けられた前記１つ以上のアイテムの位置をリスト化する図を生成することと、
をさらに含む、請求項７に記載の方法。
【請求項９】
ユーザが前記タスクと関連付けられた前記１つ以上のアイテムから近接閾値を超える場合の通知を生成すること
をさらに含む、請求項８に記載の方法。
【請求項１０】
前記アイテムを特定する要求を受信することと、
前記アイテムと関連付けられた前記トランスポンダによって伝送された前記識別信号の前記位置を判定することと、
前記アイテムと関連付けられた前記トランスポンダによって伝送された前記識別信号の前記位置をリスト化する図を生成することと、
をさらに含む、請求項７に記載の方法。
【請求項１１】
前記ベースステーションは、１つ以上のスマートラベルと関連付けられた信号を伝送する、かつ受信する、請求項７に記載の方法。
【請求項１２】
前記特性の関連付けられたリストは、ユーザ入力に応答して更新される、請求項７に記載の方法。
【請求項１３】
前記スマートラベルによって伝送された前記識別信号の前記追跡を考慮した、前記アイテムの使用パターンを判定することと、
処理デバイスによる、前記アイテムの交換が前記アイテムの前記使用パターンに応答して要求された通知を生成することと、
をさらに含む、請求項７に記載の方法。
【請求項１４】
処理デバイスによる、前記アイテムの前記使用パターンに応答する前記アイテムの交換のためのオンライン注文を生成すること、
をさらに含む、請求項７に記載の方法。
【請求項１５】
処理デバイスによる、前記アイテムの前記使用パターンを考慮した推奨及び広告を提示すること、
をさらに含む、請求項７に記載の方法。
【請求項１６】
領域の多次元マップを作るための要求を受信することと、
前記領域の前記次元を判定するためのデバイスへのコマンドを送信することと、
前記デバイスから前記領域の伝送された次元を受信することと、
処理デバイスによる、前記領域の前記伝送された次元に基づく、前記領域の前記多次元マップを生成することと、
を含む、方法。
【請求項１７】
前記デバイスは、前記領域の前記多次元マップの一部を伝送する、請求項１６に記載の方法。
【請求項１８】
前記領域の前記多次元マップは、２次元から構成される、請求項１６に記載の方法。
【請求項１９】
前記領域の前記多次元マップは、３次元から構成される、請求項１６に記載の方法。
【請求項２０】
前記領域の前記多次元マップは、４次元から構成される、請求項１６に記載の方法。
【発明の詳細な説明】
【技術分野】
【０００１】
関連出願の相互参照
本出願は、参照することによって全体として本明細書に組み込まれる、２０１４年８月２５日に出願された米国仮特許出願第６２／０４１，５２２号の利益を主張する、２０１５年８月２０日に出願された米国特許出願第１４／８３１，５６０号の利益を主張する。
【背景技術】
【０００２】
経過を追跡することが必要であるアイテムの量が多くなるにつれて、家庭用、商業用、及び工業用アイテムにおける追跡技術の必要性は増加し続けている。日用品等（例えば、人々、ドリルビット、衣類品、ペット、キャンプ用品、サングラス、靴）の追跡を妨げる、いくつかの問題が存在する。現在の追跡技術は、大量の家庭用アイテムを実施するには高価である可能性がある。加えて、現在使用されている多くの追跡技術は、建造物及び他のコンテナの内側に常駐する家庭用アイテムの追跡において効果が少ない場合がある。
【図面の簡単な説明】
【０００３】
【図１Ａ】種々の実装による、第１の例示的在庫追跡及び管理システムを例証する。
【図１Ｂ】種々の実装による、第２の例示的在庫追跡及び管理システムを例証する。
【図２】領域の多次元マップ生成方法のフローチャートである。
【図３】新しいアイテムをデータベースに追加する方法のフローチャートである。
【図４】いくつかの実施形態による、アイテム特定方法のフローチャートである。
【図５】タスクと関連付けられたアイテムの位置を示すマップの生成方法のフローチャートである。
【図６】アイテムの使用パターンの判定方法のフローチャートである。
【図７】スマートコンテナの内容物の判定方法のフローチャートである。
【図８】本明細書に説明される動作のうちの１つ以上を実施し得る、例示的コンピュータシステムのブロック図である。
【発明を実施するための形態】
【０００４】
本開示は、下記に与えられた詳細な説明及び本開示の種々の実装の付随の図面から、より完全に理解されるであろう。
以下の説明には、本発明のいくつかの実施形態の良好な理解を提供するために、具体的なシステム、構成要素、方法、及びその他の実施例等の多数の具体的な詳細が記述されている。しかしながら、本発明の少なくともいくつかの実施形態が、これらの具体的な詳細を用いず実践され得ることは、当業者には明白だろう。他の事例では、周知の構成要素または方法は、本発明を不必要に不明瞭にすることを回避するために、詳細に説明されない、または単純なブロック図形式で提示されている。したがって、記載された具体的な詳細は、単に例示的である。特定の実装は、これらの例示的詳細と異なり、本発明の範囲内であることが依然として想定され得る。
【０００５】
多くの場合、人々は、自宅、職場、設備、ならびに商業用及び工業用建物の内外の両方で、アイテムの経過を追跡することに苦戦する。この苦戦の明らかな要因は、これらのアイテムの位置を監視する能力がないことにある。人は、自分がアイテムを迅速に特定するために、アイテムをソートかつ体系化するシステムを確立し得る。しかしながら、ある状況では、アイテムは、置き間違えられる、または紛失される可能性があり、それによって、アイテムをソートかつ体系化するシステムを無効の状態にすることがある。例えば、アイテムが誤った位置に置かれ、またはそのアイテムが離れた位置で置き忘れられた場合、そのアイテムの位置は、容易に明白ではない場合がある。
【０００６】
アイテムの在庫リストに導入されるアイテムの位置を追跡かつ管理することができるシステム及び方法が、説明されている。一実施形態では、新しいアイテムに添着されたトランスポンダは、位置モジュールによって新しいアイテムの追跡及び監視を有効にする識別信号を伝送する。位置モジュールは、アイテムの在庫リスト及び対応するアイテムの特性を維持する。トランスポンダに添着された新しいアイテムがアイテムの在庫リストに導入されるとき、識別信号は、位置モジュールによって受信され、位置モジュールは、識別信号がアイテムの在庫リストに未登録であることを判定する。位置モジュールは、識別信号から、新しいアイテムと関連付けられた特性を抽出する。その位置モジュールは、未登録の識別信号及び新しいアイテムと関連付けられた抽出された特性を含む更新されたリストを生成する。
【０００７】
一実施形態では、位置モジュールは、ユーザからアイテムの位置要求を受信する。アイテムの識別信号を使用して、位置モジュールは、アイテムの位置を判定する。位置モジュールは、グラフィックのユーザインターフェースを通して、アイテムの位置を示すインジケータを用いて領域のマップをユーザに提示しても良い。位置モジュールは、コマンドをアイテムに添着されたトランスポンダに送信し、点滅光、放音、振動、または他のインジケータを使用して、トランスポンダにアイテムの存在を告知しても良い。
【０００８】
位置モジュールはまた、アイテムの使用パターンを判定するために、アイテムと関連付けられた識別信号を追跡かつ監視する。アイテムと関連付けられた識別信号の移動を追跡することによって、位置モジュールは、どのアイテムがより頻繁に使用されているかを判定する。一実施形態では、位置モジュールは、どのアイテムがより頻繁に使用されているかに基づいて、アイテムの推奨及び広告を提示しても良い。例えば、位置モジュールがユーザが頻繁にコーヒーを飲んでいることを判定する場合、位置モジュールは、コーヒー愛飲者に向けて調整された推奨及び広告を用いて、ユーザに提示しても良い。位置モジュールはまた、追跡されたアイテムが補充または交換される必要がある場合の通知を、ユーザに提供しても良い。代替として、位置モジュールは、アイテムが交換される必要があることの判定に応答して、アイテムの注文を発生させることができる。さらに、本在庫追跡及び管理システム及び方法の動作を説明する詳細が下記に提供される。
【０００９】
図１Ａは、種々の実装による、第１の例示的在庫追跡及び管理システムを例証する。ユーザ１００は、領域１０６内のアイテム１０８の位置１０４を要求しても良い。位置が要求されても良いアイテム１０８は、スマートラベルを含む。スマートラベルは、アイテム１０８と関連付けられた識別信号を伝送するトランスポンダ１３４であっても良い。スマートラベルは、特定技術（例えば、地理情報システム（ＧＩＳ）、グローバルポジショニングシステム（ＧＰＳ）、ブルートゥース（登録商標）、無線自動識別（ＲＦＩＤ）、近距離無線通信（ＮＦＣ）、ローカルエリアワイヤレス（ＷＬＡＮ、Ｗｉ−Ｆｉ）、ローカルエリアネットワーク（ＬＡＮ）、グローバルシステムフォーモバイルコミュニケーションズ（ＧＳＭ（登録商標））、及び同等なもの）を含んでも良い。いくつかの実施形態では、スマートラベルは、ユーザ１００が特定することを望み得るアイテム１０８に添着されても良いトランスポンダ１３４である。他の実施形態では、スマートラベルは、アイテムの製造の間にアイテム１０８の中に内蔵されたトランスポンダ１３４である。
【００１０】
一実施形態では、スマートラベルは、ユーザが交換可能なバッテリを含む。他の実施形態では、スマートラベルは、ユーザが交換可能なバッテリを含まず、代わりに、インダクタンス技術を使用して給電される。他の給電方法は、電力を、モーション電池、太陽電池、マイクロ燃料電池等のスマートラベルに提供するために利用されても良い。エネルギーストレージは、圧縮空気、ブタン、メタン、及び他のより従来的バッテリセル技術を含むことができる。他の実施形態では、スマートラベルは、照明システム（例えば、ＬＥＤ）、振動システム、動き検知システム、音響システム、及び画像表示システム（例えば、ビデオディスプレイ）等の他のシステムを含んでも良い。スマートラベルはまた、タッチスクリーン、ボタン、及び他のユーザ入力システムを含んでも良い。一実施形態では、スマートラベルは、質量分析を利用して、物質の、材料、生地の色、及びスマートラベルが添着されたアイテムの他の属性を特性評価する。スマートラベルはまた、ジャイロスコープ、磁気探知機、加速度計、高度、温度、湿度、大気圧等の追加のセンサを利用しても良い。
【００１１】
スマートラベルは、情報を用いてカスタマイズされても良い。ユーザ１００は、カテゴリをアイテムとを関連付けることを望み得る。一実施形態では、２つ以上のカテゴリがアイテムと関連付けられても良い。例えば、バックパックの場合、ユーザ１００は、カテゴリ「学校」を含むバックパックのスマートラベルをカスタマイズすることを望む場合がある。別の実施例では、ユーザ１００は、カテゴリ「学校」及び「ハイキング」を含む同一のバックパックのスマートラベルをカスタマイズすることを望む場合がある。他の情報もまた、スマートラベル上に記憶されても良い。例えば、ユーザ１００は、アイテムの「ホーム基地」を定義し、そのスマートラベルをカスタマイズし、この選択肢を反映させることを望む場合がある。ホーム基地は、アイテムが常駐するべき位置である。ホーム基地の設定は、ユーザ１００に、アイテムがそのホーム基地にないときの通知を受信することを可能にする。一実施形態では、複数のホーム基地は、カスタマイズされても良く、アイテムが種々の位置にいつあるべきかに関するタイミング情報もまた、設定されても良い。一実施形態では、ユーザ１００は、継続的に、ユーザの必要性が変わるにつれてスマートラベルを再カスタマイズしても良い。代替として、スマートラベルは、１回のみカスタマイズだけされる場合がある。一実施形態では、ホーム基地はまた、充電所として使用されても良いことに留意されたい。
【００１２】
一実施形態では、基地局１１０、１１２、１１４は、領域１０６内に含有された全てのスマートラベルが３つ以上の基地局１１０、１１２、１１４の通信範囲内にあるように、領域１０６全体を通して広がる。基地局１１０、１１２、１１４は、特定技術信号を伝送かつ受信することが可能であるデバイスである。基地局１１０、１１２、１１４はまた、気温及び品質を判定することが可能である。一実施形態では、基地局１１０、１１２、１１４は、主局１２０に通信可能に結合される。主局１２０は、基地局１１０、１１２、１１４から信号を受信し、信号をそれらに伝送することが可能であるデバイスである。主局１２０は、ネットワーク１２２を介してサーバ１２６に通信可能に結合されても良い。一実施形態では、主局１２０は、システム構成要素（例えば、スマートラベル、基地局、スマートコンテナ等）のローカル在庫リストを維持しても良い。一実施形態では、ユーザ１００は、ユーザデバイス１０２を介して、サーバコンピューティングシステム１２８のサーバ１２６上の位置モジュール１２４に位置要求を送信する。別の実施形態では、ユーザ１００が「私のアイテムはどこにありますか？」と音声で質問し得る場合、ユーザデバイス１０２は、音声認識を利用する。代替として、ユーザ１００は、ユーザデバイス１０２上のアプリケーションのユーザインターフェースを介してアイテムの位置を要求しても良い。ユーザデバイス１０２は、パーソナルコンピュータ、タブレットコンピュータ、スマートフォン等の携帯電話、携帯情報端末（ＰＤＡ）、ポータブルメディアプレイヤ、ネットブック、スマートウォッチ、または同等なものであっても良い。
【００１３】
位置モジュール１２４は、アイテムと関連付けられた特性（すなわち、指定位置、アイテムが何であるのか、アイテムが何のために使用されるのか等）と一緒に、アイテムのデータベースを備えても良い。本明細書に説明されるコンピューティングシステム（例えば、１２８）はそれぞれ、ネットワーク１２２を介して相互に通信することが可能である。別の実施形態では、ユーザデバイス１０２は、ネットワーク１２２及び基地局１２０を介して、基地局１１０、１１２、１１４と直接通信しても良い（例えば、図１Ｂ）。本実施形態では、位置モジュール１２４は、ユーザデバイス１０２上に常駐しても良い。ネットワーク１２２は、例えば、ローカルエリアネットワーク（ＬＡＮ）等のプライベートネットワーク、広域ネットワーク（ＷＡＮ）、インターネット等のグローバルエリアネットワーク（ＧＡＮ）、またはそのようなネットワークの組み合わせを含んでも良く、有線または無線ネットワークを含んでも良い。本明細書に説明される種々のネットワークは、要するに、同一のネットワークまたは異なるネットワークであっても良い。
【００１４】
一実施形態では、いったん位置要求が受信されると、位置モジュール１２４は、ネットワーク１２２を介して、位置要求を主局１２０に送信することによって、アイテムが領域１０６内で位置する場所を判定する。次に、主局は、位置要求を基地局１１２に中継しても良い。その次に、基地局１１２は、位置要求を基地局１１０、１１４に中継しても良い。基地局１１０、１１２、１１４は、位置要求をアイテム１０８に送信することによってアイテム１０８を特定し、応答信号を受信し、その応答信号に基づいてアイテム１０８を三角測量しても良い。いくつかの実施形態では、ユーザ１００は、スマートコンテナ１１８の内側でアイテム１１６を特定することを望み得る。基地局１１０、１１２、１１４からの位置要求の受信に応じて、スマートコンテナ１１８は、アイテム１１６を特定する全ての含有されたスマートラベルにクエリを実行しても良い。アイテム１１６が発見されたとき、スマートコンテナ１１８は、基地局、１１０、１１２、１１４に戻して位置情報を中継しても良い。スマートコンテナ１１８はまた、コンテナ内部に位置するアイテムの在庫リストを保持し、アイテムと通信する必要性を制限し、ひいては、アイテムのバッテリ寿命を延ばしても良い。一実施形態では、基地局１１０、１１２、１１４は、位置及び他の情報を主局１２０に送信する。主局１２０は、ネットワーク１２２を通して、位置及び他の情報を位置モジュール１２４に送信する。位置モジュール１２４は、情報を処理し、情報をユーザデバイス１０２に送信しても良い。
【００１５】
別の実施形態では、ユーザ１００は、ユーザデバイス１０２を介して、サーバコンピューティングシステム１２８のサーバ１２６上で、マッピング要求をマッピングモジュール１３０に送信する。基地局１１０、１１２、１１４は、領域１０６をマッピングすることが可能であるデバイスであっても良い。例えば、基地局１１０、１１２、１１４は、住宅の一部屋内または商業用もしくは工業用建物内に置かれても良く、部屋または周辺領域をマッピングすることを対象とする。マッピング可能な基地局１１０、１１２、１１４は、音響システム（例えば、音波探知機、レーダ）、光システム（例えば、レーザ、カメラ）、及び同等なものを採用し、領域の一部を測定しても良い。マッピングモジュール１３０は、主局１２０を介して、測定データをマッピング可能な基地局１１０、１１２、１１４から受信する。測定データを使用して、マッピングモジュール１３０は、部屋及び間取図の多次元マップを生成する。いくつかの実施形態では、空中または地上移動ドローンは、領域の多次元マップ及び間取図を作るために使用されても良い。他の実施形態では、独立して作られた多次元マップ及び間取図は、マッピングモジュール１３０にアップロードされ、それによって利用されても良い。
【００１６】
一実施形態では、多次元マップは、アイテムの位置を正確に説明するために使用されても良い。例えば、基地局１１０、１１２、１１４からのアイテム１０８の位置情報の受信に応じて、位置モジュール１２４は、三角測量された位置及び領域の多次元マップに基づいて、アイテム１０８が領域１０６の南東角部の本棚上にあることを判定しても良い。他の実施形態では、マッピング可能な基地局１１０、１１２、１１４は、アイテムが部屋内で移動されるときその位置を追跡し、ユーザ１００にその移動を通知することが可能である。基地局１１０、１１２、１１４は、領域１０６内の全てのアイテム（例えば、１１６、１０８）を周期的に在庫を調べても良い。例えば、冷蔵庫の内側に位置する基地局１１０、１１２、１１４は、冷蔵庫内のアイテムを周期的に在庫を調べ、アイテムが補充または交換される必要があるとき、ユーザ１００に通知しても良い。別の実施形態では、ユーザ１００は、アイテムが補充または交換される必要があることに応答して、アイテムを注文するために位置モジュール１２４に許可を与えても良い。位置モジュール１２４は、在庫リスト及びユーザ設定可能な量の閾値に基づいて、買物リストを生成しても良い。位置モジュール１２４は、ユーザ１００が実施しようとするタスク、またはユーザがキャンプ、ボート、休暇、通学、通勤等に従事しようとするアクティビティと関連付けられたアイテムのリストを生成しても良い。位置モジュール１２４はまた、アイテム１０８の正常の使用パターンを追跡し、異常なパターンが生じるときユーザ１００に通知しても良い。別の実施形態では、ユーザ１００は、アイテム１０８の許容可能な境界を判定しても良い。アイテム１０８がその許容可能な境界の外側に持ち出されたとき、ユーザ１００に通知されても良い。別の実施形態では、位置モジュール１２４は、アイテム１０８の使用パターンを監視し、その使用パターンに基づいて推奨を提供しても良い。例えば、位置モジュール１２４は、効率を最大限にするために、スマートコンテナ１１８を詰めた、または種々のアイテムを使用した、過去の使用に基づいて、特定の順番を提案しても良い。別の実施例として、在庫追跡及び管理システムは、製品ならびにその対応する充電器及び／または電力供給を特定かつ体系化するために使用されても良い。
【００１７】
他の実施形態では、位置モジュール１２４は、タスクを単純に体系化かつソートすることを補助しても良い。例えば、ユーザ１００は、特定の順番でソケットセット、ドリルビット、及び同等なもの等のユーザのツールをソートすることを所望し得る。位置モジュール１２４は、ＬＥＤ光をソケット上で連続した順番で点滅させ、それらがソートされるべきである特定の順番をユーザ１００に示しても良い。位置モジュール１２４は、任意の所在不明のソケットを識別し、所在不明のソケットの位置をユーザ１００に通知しても良い。別の実施形態では、位置モジュール１２４は、ソックスのペアを同時に点滅させ、したがって合致するペアの識別を容易にし得る。一実施形態では、ソックスのペア上のスマートラベルは、電磁石を含み、それによって、位置モジュール１２４が１対のソックスにおいて対応する電磁石をアクティブにすることを可能にし、ソックスをそれ自体で自動的にソートさせる。別の実施形態では、衣服乾燥機用コンベヤベルトは、衣類上のスマートラベルを読み取り、適宜、衣類をソートしても良い。
【００１８】
一実施形態では、ユーザ１００は、位置モジュール１２４を構成し、アイテムを有用なカテゴリにグループ化しても良い。例えば、ユーザ１００は、位置モジュール１２４を構成し、電話機と特定の電話機用充電器をペアにする場合がある。一実施形態では、ユーザ１００の電話機が旅行前にバッグに詰められ、対応する充電器が机の隣にある場合、ユーザ１００は、充電器をバッグに詰めるためにユーザ１００に気付かせる通知を受信し、充電器の位置をユーザ１００に通知しても良い。別の実施形態では、位置モジュール１２４は、特定のアイテムが必ず特定の場所にある場合、ユーザ１００に通知するように構成されても良い。例えば、ユーザ１００は、ユーザの車キーが誤って投げ捨てられた場合に必ず通知されることを所望し得る。位置モジュール１２４は、キーがゴミ（スマートコンテナ１１８）の中にないことを確信するために、キー（スマートラベルを伴う）にクエリを周期的に実行しても良い。
【００１９】
他の実施形態では、アイテム１０８には、そのアイテムが常駐するべき指定位置が割り当てられる。位置モジュール１２４は、アイテムがその指定された位置にない場合、ユーザ１００に通知し、ユーザ１００にアイテムの現在の位置を知らせても良い。一実施形態では、基地局１１０は、アイテム１０８についての情報を判定するために使用されても良い。例えば、アイテム１０８は、基地局１１０の隣に保持され、位置モジュールに、アイテムのホーム基地、使用の詳細、及びソートの詳細（例えば、アイテムのペアの位置、アイテムが属するカテゴリ）等のアイテムについての情報をユーザ１００に提供させても良い。
【００２０】
他の実施形態では、本システムは、ユーザがソフトウェアプログラミング、マクロ言語、グラフィックのユーザインターフェース及び同等なものを使用して、システム動作をカスタマイズする能力を有し、システム機能を拡張かつカスタマイズし、新しく出現したアプリケーション及び本システムの使用事例をサポートするであろう。
【００２１】
他の実施形態では、基地局１１０、１１２、１１４は、アイテム１０８を特定するために使用される必要がない。代わりに、位置モジュール１２４は、ＧＰＳ及びＧＳＭ等の特定技術を信頼し、アイテム１０８を特定しても良い。いくつかの実施形態では、ユーザデバイス１０２は、追加の基地局としての役割を果たし得る、またはＲＦＩＤ等の特定技術を利用することによってアイテム１０８を直接特定しても良い。
【００２２】
図２は、領域の多次元マップの生成方法２００のフローチャートである。明確にするために、以下の領域の多次元マップの生成方法は、領域（例えば、１０６）の測定データを取得するために、基地局１１０、１１２、１１４を使用して、説明されるであろう。しかしながら、いくつかの実施形態では、空中または地上移動ドローン等の他のデバイスは、領域１０６の測定データを取得するために使用されても良い。
【００２３】
フェーズ２１０において、マッピングモジュール１３０は、ユーザ１００から領域１０６の多次元マップを作る要求を受信する。一実施形態では、領域１０６の多次元マップは、領域１０６の２次元図であっても良く、その２次元図は、２つの空間次元から構成される。他の実施形態では、領域１０６の多次元マップは、領域１０６の３次元図であっても良く、その３次元図は、３つの空間次元から構成される。いくつかの実施形態では、領域１０６の多次元マップは、領域１０６の４次元図であっても良く、その４次元図は、１つの時間次元に加えて３つの空間次元から構成され、時空の環境を例証する。フェーズ２２０において、マッピングモジュール１３０は、主局１２０を介して、信号を基地局１１０、１１２、１１４に伝送し、基地局１１０、１１２、１１４に指示し、領域１０６の部分を測定し、領域１０６の測定された部分は、領域１０６の完全な多次元表現に組み合わせられても良い。フェーズ２３０において、マッピングモジュール１３０は、主局１２０を介して、基地局１１０、１１２、１１４から伝送される測定データを受信する。フェーズ２４０において、マッピングモジュール１３０は、基地局１１０、１１２、１１４から伝送され受信された測定データに基づいて、領域１０６の多次元マップを生成する。
【００２４】
図３は、新しいアイテムを位置モジュール１２４のデータベースに追加する方法３００のフローチャートである。フェーズ３１０において、基地局１１０、１１２、１１４は、新しいアイテムに添着されたスマートラベルによって伝送された識別信号１３２を受信する。スマートラベルによって伝送された識別信号１３２は、主局１２０に中継される。一実施形態では、新しいアイテムは、新しいアイテムに添着されたスマートラベルとともに購入されても良い。別の実施形態では、スマートラベルは、購入後にユーザ１００によって新しいアイテムに添着されても良い。フェーズ３２０において、主局１２０は、スマートラベルによって伝送された識別信号１３２が位置モジュール１２４のデータベースに登録されていないことを判定する。フェーズ３３０において、主局１２０は、基地局１１０、１１２、１１４を介して、スマートラベルによって伝送された識別信号１３２を使用して、新しいアイテムの特性を抽出する。一実施形態では、新しいアイテムに添着されたスマートラベルは、新しいアイテムと関連付けられた特性を用いて、事前にプログラムされても良い。代替として、新しいアイテムに添着されたスマートラベルは、新しいアイテムと関連付けられた特性を用いて、ユーザ１００によってプログラムされても良い。フェーズ３４０において、主局１２０は、新しいアイテムと関連付けられた抽出された特性を位置モジュール１２４に伝送する。フェーズ４５０において、位置モジュール１２４は、新しいアイテムを含めるためにデータベース内の更新されたアイテムの在庫リストを生成する。
【００２５】
図４は、いくつかの実施形態による、アイテム特定方法のフローチャートである。方法４００は、ハードウェア（例えば、回路、専用論理、プログラマブル論理、マイクロコード等）、ソフトウェア（例えば、処理デバイス上で実行されハードウェアシミュレーションを実施する命令）、またはそれらの組み合わせを備える、処理論理によって実施される。一実施形態では、モジュール１２４の特定は、方法４００を実施しても良い。別の実施形態では、図１に例証される本デバイスの他の構成要素は、いくつかまたは全ての動作を実施する。方法４００は、達成される具体的な位置の必要性に適合するように任意の順番で実施されても良い。
【００２６】
フェーズ４１０において、位置モジュール１２４は、ユーザ１００から位置要求を受信する。その次に、一実施形態では、処理論理は、上記に説明される特定技術を使用して、要求されたアイテム１０８の位置を判定する（フェーズ４２０）。一実施形態では、基地局１１０、１１２、１１４は、アイテムのスマートラベルを三角測量する。位置探査のための三角測量は、複数の次元において位置を判定するために複数の基地局を使用して、実施されることに留意されたい。いくつかの実施形態では、ユーザ１００は、基地局１１０、１１２、１１４の範囲内に位置しない。例えば、ユーザ１００は、職場におり、ユーザ自身の財布を有しないことを理解し得る。ユーザ１００が職場にいる間、処理論理は、基地局１１０、１１２、１１４を使用し財布の信号を三角測量して、自宅で財布の位置を判定しても良い。フェーズ４３０において、処理論理は、アイテム周辺位置のマップ及び追加のアイテム情報（例えば、パターンデータ、合致するペアの位置、カテゴリデータ）を、ユーザ１００に送信する。一実施形態では、位置モジュールはまた、要求されたアイテム１０８の位置に関する他の情報を送信しても良い。そのような情報は、要求されたアイテム１０８がその時点で常駐するコンテナと、要求されたアイテム１０８がその時点で常駐する部屋と、また要求されたアイテム１０８が常駐するコンテナ及び／または部屋内に常駐する他のアイテムのリストと、アイテム１０８が属するカテゴリと、同一または類似するカテゴリ及びその位置における他のアイテムのリストとを含んでも良い。フェーズ４４０において、処理論理は、位置要求をアイテム１０８に送信し、アイテムがそのスマートラベルシステムを介してそれ自体を示させても良い。
【００２７】
一実施形態では、写真等の画像は、アイテムの特定を補強するために使用されても良い。例えば、システム設置の間、アイテムが位置し得る建物の部屋または領域（例えば、１０６）の写真が撮られることができ、次に、画像が取得される種々のアイテムの位置が、プロットされることができる。代替として、基地局１１０、１１２、１１４のうちの１つ以上は、領域１０６の静止画またはビデオ画像を撮り画像をサーバ１２６に伝送し発見されたアイテムの位置を示すことができる、カメラ（例えば、可視、赤外線等のもの）を含んでも良い。
【００２８】
図５は、タスクと関連付けられたアイテムの位置を示す、マップの生成方法５００のフローチャートである。フェーズ５１０において、位置モジュール１２４は、ユーザ１００から要求を受信し、タスクと関連付けられた全てのアイテムを特定する。一実施形態では、ユーザ１００からの要求は、ユーザ１００が実施されるタスクをユーザインターフェースから手動で選択するものであっても良い。別の実施形態では、位置モジュール１２４は、ユーザ１００の最近のインターネット検索、ホテルの予約、飛行機の予約、または同等なものに応答して、実施されるタスクを判定しても良い。フェーズ５２０において、位置モジュール１２４は、アイテムの特性に基づいて、タスクと関連付けられたアイテムのリストを生成する。フェーズ５３０において、位置モジュール１２４は、タスクと関連付けられたアイテムのリストからアイテムの位置を判定する。位置モジュール１２４は、図４の上記に説明される方法を使用して、アイテムの位置を判定する。フェーズ５４０において、位置モジュール１２４は、タスクと関連付けられたアイテムの位置を示すマップを生成する。一実施形態では、マップは、領域１０６の多次元表現であっても良い。フェーズ５５０において、位置モジュール１２４は、タスクと関連付けられたアイテムの位置を示す生成されたマップを、ユーザデバイス１０２上でユーザ１００に提示する。
【００２９】
図６は、アイテムの使用パターン判定方法６００のフローチャートである。フェーズ６１０において、位置モジュール１２４は、アイテムに添着されたスマートラベルを追跡し周期的なアイテムの在庫調査を実施することによって、アイテムの使用パターンを判定する。アイテムは、図４の上記に説明される方法を使用して追跡される。フェーズ６２０において、位置モジュール１２４は、アイテムと関連付けられたスマートラベルによって伝送された情報に基づいて、アイテムが補充または交換される必要があることを判定する。一実施形態では、スマートラベルは、アイテムの内容物を検出することが可能である集積センサを有しても良い。例えば、紙パックの牛乳は、紙パック内に残っている牛乳の量を検出する容量センサを有するスマートラベルが装備されても良い。いくつかの実施形態では、位置モジュール１２４は、アイテムがゴミ箱内に捨てられたことを検出し、それに応答して、アイテムが補充または交換される必要があることを判定する。フェーズ６３０において、位置モジュール１２４は、データベースにクエリを実行し、ユーザ１００がアイテムの交換品を購入するために位置モジュール１２４に許可を与えたかどうかを判定する。フェーズ６４０において、ユーザ１００がアイテムの交換品を購入するために位置モジュール１２４に許可を与えない場合、位置モジュール１２４は、通知を生成し、それをユーザデバイス１０２に送信し、アイテムが補充または交換される必要があることをユーザ１００に警告する。フェーズ６５０において、ユーザ１００がアイテムの交換品を購入するために位置モジュール１２４に許可を与えた場合、位置モジュール１２４が補充または交換される必要があるアイテムの注文を発生させる。一実施形態では、位置モジュール１２４は、ユーザ１００によって指定される好ましい小売店から、補充または交換される必要があるアイテムを注文しても良い。別の実施形態では、位置モジュール１２４は、複数の小売店にクエリを実行し、ユーザ１００によって指定される基準（例えば、価格、配達日等）に応えて、アイテムを小売店から注文しても良い。
【００３０】
図７は、スマートコンテナ１１８の内容物の判定方法７００のフローチャートである。スマートコンテナ１１８は、基地局１１０、１１２、１１４に類似する３つ以上のセンサに添着され、図４の上記に説明される方法を使用して、コンテナの内側にあるアイテムを識別しても良い。フェーズ７１０において、スマートコンテナ１１８に添着されたセンサは、スマートコンテナ１１８内に含有されたアイテムに添着されたスマートラベルの識別信号１３２を受信する。フェーズ７２０において、センサは、主局１２０を介して、識別信号１３２を位置モジュール１２４に伝送する。フェーズ７３０において、位置モジュール１２４は、スマートコンテナ１１８内に位置するアイテムの在庫リストのデータベースにクエリを実行する。一実施形態では、スマートコンテナ１１８内に位置するアイテムの在庫リストは、ユーザ１００によって判定されることができる。別の実施形態では、位置モジュール１２４は、同一のスマートコンテナ１１８内の同一のカテゴリと関連付けられたアイテム（例えば、キャンプアイテム、学用品等）をペアにすることによって、スマートコンテナ１１８内に位置するアイテムの在庫リストを判定することができる。フェーズ７４０において、位置モジュール１２４は、スマートコンテナ１１８内に位置するアイテムがスマートコンテナ１１８内に位置するアイテムの在庫リストに対応するどうかを判定する。フェーズ７５０において、スマートコンテナ１１８内に位置するアイテムがスマートコンテナ１１８内に位置するアイテムの在庫リストに対応しないことを位置モジュール１２４が判定した場合、位置モジュール１２４は、通知を生成し、それをユーザ１００に送信する。一実施形態では、位置モジュール１２４は、スマートコンテナ１１８から欠けているアイテムの在庫リストからアイテムの位置を示す、ユーザ１００への通知としてマップを生成かつ提供する。別の実施形態では、位置モジュールは、スマートコンテナ１１８内に位置するアイテムがスマートコンテナ１１８内に含有されたアイテムの在庫リストにないことを示す、ユーザ１００への通知を生成かつ提供する。
【００３１】
スマートコンテナ１１８は、アイテムを含有することが可能である任意のコンテナ、表面、または空間であっても良い。スマートコンテナ１１８は、洗濯機、食器洗い器、冷蔵庫、キャビネット、クローゼット、棚、棚紙、タンス、机、テーブル、家具、衣類、及び自動車等のアイテムであっても良い。スマートコンテナ１１８は、ベンチ、駐車場、及びホテルの部屋等の公共の場であっても良い。スマートコンテナ１１８は、任意のサイズであっても良く、街の境界線等の外周フェンスを含んでも良い。スマートコンテナ１１８はまた、ある構造（例えば、自宅、工場、または商業用建物）等の領域の内側、ある構造の外側、または構造の一部の内部（例えば、自宅内の具体的な部屋）として定義されることができる。いくつかの実施形態では、スマートコンテナ１１８は、上記に説明されるもの等のスマートラベルを含む。
【００３２】
一実施形態では、スマートラベルは、送信機を用いて、アクティブデバイス（例えば、スイッチ）を有し、信号を他の近傍のスマートラベルまたはコンテナに送信し、それがその位置を告知することを要求しても良い。告知は、ＬＥＤを使用する点滅光、またはオーディオデバイスを使用する音（例えば、ブザー）等のより多くの種々の形態を引き受けても良い。アクティブ化はまた、在庫追跡及び管理システムを、他の近傍のスマートラベルを使用しいくつかまたは全ての近傍のアイテムの位置を三角測量するモードの状態にしても良い。例えば、キーフォブを伴うスマートラベルは、信号を所在不明のスマートフォンに送信しても良い。
【００３３】
種々の実施形態では、スマートコンテナ１１８は、特定されることと、その位置を告知することとが可能である。他の実施形態では、スマートコンテナ１１８は、その内容物を判定し、含有される特定のアイテムを特定することができる。スマートコンテナ１１８はまた、アイテムのスマートラベル上の照明システム、振動システム、音響システム、及び／または画像表示システムをアクティブにすることによって、特定のアイテムにその位置を告知させても良い。スマートコンテナ１１８は、含有される内容物のタイプ（例えば、アイテムのカテゴリ）を、（画像表示システムまたは音響システムを介して）表示または告知することができる。スマートコンテナ１１８は、アイテムのスマートラベルにクエリを実行することによって、含有されるアイテムを識別する。例えば、ユーザ１００は、スマートコンテナ１１８上のボタンを押しても良く、コンテナは、そのビデオディスプレイ上で「キャンプ用品」を示しても良い。次に、スマートコンテナ１１８は、含有されるキャンプアイテムをリスト化しても良い。別の実施形態では、スマートコンテナ１１８は、ユーザ１００がスマートコンテナ１１８の規定の近接の範囲内にあるとき、含有されるアイテムを表示または告知する。
【００３４】
別の実施形態では、スマートコンテナ１１８は、含有していることが想定されるアイテム（例えば、アイテムのカテゴリに一致するもの）が何かを把握し、所在不明のアイテムを識別することができる。例えば、ユーザ１００の車がスマートコンテナ１１８として設定され、ユーザ１００が旅行用のキャンプ用品を積み込む場合、ユーザ１００は、キャンプ用品を積み込んだ後にボタンを押しても良く、車は、含有されるキャンプ用品のスマートラベルを走査し、所在不明のアイテムを識別し、ユーザ１００に通知することができる。位置モジュール１２４はまた、キャンプ用品が車内に置かれたことに応答して、所在不明のアイテムを識別する、または追加のアイテムを特定もしくは購入することを提案しても良い。代替として、ユーザ１００は、全てのキャンプ用品を特定する要求をサーバ１２６に送信することができる。次に、サーバ１２６は、キャンプ用品を特定し、ユーザ１００にキャンプ用品が位置する場所を含むその自宅のマップを提供しても良い。いくつかの実施形態では、ユーザ１００には、キャンプ用品及びアイテムの自宅内の位置ならびにスマートコンテナ１１８内部の位置のリストが提供される。次に、ユーザ１００は、そのスマートラベルシステムを介して、キャンプ用品アイテム自体に告知させることを選んでも良い。
【００３５】
図８は、本マシンに本明細書で議論される任意の１つ以上の手法を実施させるために命令のセットが実行され得る、コンピュータシステム８００の例示的マシンを例証する。代替実装では、本マシンは、ＬＡＮ、イントラネット、エクストラネット、及び／またはインターネットにおいて、他のマシンに接続され（例えば、ネットワークで結ばれる）ても良い。本マシンは、ピアツーピア（または分散型）ネットワーク環境におけるピアマシンのような、またはクラウドコンピューティングインフラもしくは環境におけるサーバもしくはクライアントマシンのような、クライアントサーバネットワーク環境において、サーバまたはクライアントマシンの能力で動作しても良い。
【００３６】
本マシンは、そのマシンによって行われる操作を指定する命令のセット（順次的に、または別様に）を実行することが可能である、パーソナルコンピュータ（ＰＣ）、タブレットＰＣ、セットトップボックス（ＳＴＢ）、携帯情報端末（ＰＤＡ）、携帯電話、ウェブ機器、スマートウォッチ、サーバ、ネットワークルータ、スイッチもしくはブリッジ、または任意のマシンであっても良い。さらに、単一のマシンが例証されるが、用語「マシン」はまた、命令のセット（または複数のセット）を個別にまたは連帯して実行し、本明細書で議論される任意の１つ以上の手法を実施する、任意の一群のマシンを含むものとみなされるだろう。
【００３７】
例示的コンピュータシステム８００は、バス８３０を介して相互に通信する、処理デバイス８０２、メインメモリ８０４（例えば、読取専用メモリ（ＲＯＭ）、フラッシュメモリ、シンクロナスＤＲＡＭ（ＳＤＲＡＭ）またはＤＲＡＭ（ＲＤＲＡＭ）のようなダイナミックランダムアクセスメモリ（ＤＲＡＭ）等）、スタティックメモリ８０６（例えば、フラッシュメモリ、スタティックランダムアクセスメモリ（ＳＲＡＭ）等）、及びデータストレージデバイス８１８を含む。
【００３８】
処理デバイス８０２は、マイクロプロセッサ、中央処理装置、または同等なもの等の１つ以上の汎用プロセッサを表す。より具体的に、プロセッサは、複合命令セットコンピューティング（ＣＩＳＣ）マイクロプロセッサ、縮小命令セットコンピューティング（ＲＩＳＣ）マイクロプロセッサ、超長命令語（ＶＬＩＷ）マイクロプロセッサ、または他の命令のセットを実施するプロセッサ、もしくは命令のセットの組み合わせを実施するプロセッサであっても良い。処理デバイス８０２はまた、特定用途向け集積回路（ＡＳＩＣ）、フィールドプログラマブルゲートアレイ（ＦＰＧＡ）、デジタルシグナルプロセッサ（ＤＳＰ）、ネットワークプロセッサ、または同等なもの等の１つ以上の特殊用途プロセッサであっても良い。処理デバイス８０２は、本明細書で議論される動作及びステップを実施するための命令８２２を実行するように構成される。
【００３９】
コンピュータシステム８００はさらには、ネットワークインターフェースデバイス８０８を含んでも良い。コンピュータシステム８００はまた、ビデオディスプレイユニット８１０（例えば、ＬＥＤアレイ、液晶ディスプレイ（ＬＣＤ）またはブラウン管（ＣＲＴ））、英数字入力デバイス８１２（例えば、キーボード）、カーソル制御デバイス８１４（例えば、マウス）、及び信号発生デバイス８１６（例えば、スピーカ）を含んでも良い。
【００４０】
データストレージデバイス８１８は、本明細書に説明される任意の１つ以上の手法または機能を具現化する１つ以上の命令のセットまたはソフトウェア８２２が記憶される、マシン可読ストレージ媒体８２８（また、コンピュータ可読媒体として知られる）を含んでも良い。命令８２２はまた、コンピュータシステム８００によるその実行の間、メインメモリ８０４内部及び／または処理デバイス８０２内部に完全または少なくとも部分的に、常駐しても良く、メインメモリ８０４及び処理デバイス８０２はまた、マシン可読ストレージ媒体を構成する。
【００４１】
一実装では、命令８２２は、位置モジュール及びマッピングモジュール（例えば、図１の位置モジュール１２４及びマッピングモジュール１３０）及び／または位置モジュール内のモジュールもしくはサブモジュールに命じる方法を含有するソフトウェアライブラリの命令を含む。マシン可読ストレージ媒体８２８は、単一の媒体であることが例示的実装に示されるが、用語「非一過性コンピュータ可読ストレージ媒体」または「コンピュータ可読媒体」は、１つ以上の命令のセットを記憶する単一の媒体または複数の媒体（例えば、集中型もしくは分散型データベース及び／または関連付けられたキャッシュ及びサーバ）を含むものとみなされるはずである。用語「コンピュータ可読媒体はまた、本マシンによる実行に関する命令のセットを記憶する、エンコードする、または伝えることが可能であり、本マシンに本開示の任意の１つ以上の手法を実施させる、任意の媒体を含むものとみなされるだろう。したがって、用語「コンピュータ可読ストレージ媒体」は、限定ではないが、固体メモリ、光学媒体、及び磁気媒体を含むものとみなされるであろう。前述の詳細な説明のいくつかの部分には、コンピュータメモリ内部のデータビット上での動作のアルゴリズム及び記号表現に関して提示されている。これらのアルゴリズムの説明及び表現は、他の当業者にその作用の要旨を最も効果的に伝達するために、データ処理技術分野における当業者によって使用される方法である。ここでは、一般的に、アルゴリズムは、所望の結果に導く動作の首尾一貫したシーケンスであると考えられる。その動作は、物理量の物理的操作を要求するものである。通常、必ずしもそうとは限らないが、これらの量は、記憶され、組み合わせられ、比較され、かつ別様に操作されることが可能である電気または磁気信号の形態をとる。主に共通使用の理由のために、ビット、値、要素、記号、文字、用語、番号、または同等なもののようなこれらの信号を参照することが、時々便利であることを証明する。
【００４２】
しかしながら、全てのこれらのかつ類似する用語は、適切な物理量と関連付けられ、これらの量に適用される単に便利な標識にすぎないことに留意されるべきである。上記の議論から明白であるように、別様に具体的に述べられない限り、説明の全体を通して、「ｉｄｅｎｔｉｆｙｉｎｇ（識別すること）」、または「ｄｅｔｅｒｍｉｎｉｎｇ（判定すること）」、または「ｓｏｒｔｉｎｇ（ソートすること）」、または「ｐｅｒｆｏｒｍｉｎｇ（実施すること）」、または「ｌｏｃａｔｉｎｇ（特定すること）」、または「ｒｅｃｅｉｖｉｎｇ（受信すること）」、または「ｓｅｎｄｉｎｇ（送信すること）」、または同等なもの等の用語を利用する議論は、コンピュータシステムのレジスタ及びメモリ内部の物理（電子）量として表されるデータを操作し、それらをコンピュータシステムメモリもしくはレジスタまたは他のそのような情報ストレージデバイス内部の物理量として同様に表される他のデータに変換する、コンピュータシステムまたは類似する電子コンピューティングデバイスの作用及び処理を参照することを認識されたい。
【００４３】
本開示はまた、本明細書における動作を実施するための装置に関する。本装置は、意図される目的のために特別に構築されても良い、またはコンピュータ内に記憶されるコンピュータプログラムによって選択的にアクティブ化または再構成される汎用コンピュータを備えても良い。そのようなコンピュータプログラムは、限定ではないが、それぞれがコンピュータシステムバスに結合される、フロッピーディスク、光ディスク、ＣＤ−ＲＯＭ、及び光磁気ディスク、読取専用メモリ（ＲＯＭ）、ランダムアクセスメモリ（ＲＡＭ）、ＥＰＲＯＭ、ＥＥＰＲＯＭ、磁気もしくは光カード、または電子命令を記憶するために好適な任意のタイプの媒体を含む、任意のタイプのディスク等のコンピュータ可読ストレージ媒体内に記憶されても良い。
【００４４】
本明細書に提示されるアルゴリズム及びディスプレイは、任意の特定のコンピュータまたは他の装置に本質的に関連しない。種々の汎用システムは、本明細書の教示に従ったプログラムを用いて使用されても良い、または、より特殊な装置を構築し本方法を実施するために便利であることを証明しても良い。下記の記載に説明されるような様々なこれらのシステムの構造が現れるであろう。加えて、本開示は、任意の特定のプログラミング用語を参照して、説明されることはない。様々なプログラミング用語は、本明細書に説明されるような本開示の教示を実施するために使用されても良いことを認識されるであろう。
【００４５】
本開示は、コンピュータシステム（または、他の電子デバイス）をプログラムし本開示に従った処理を実施するために使用され得る、マシン可読媒体（その上に記憶される命令を有する）を含み得るコンピュータプログラム製品またはソフトウェアとして提供されても良い。マシン可読媒体は、マシン（例えば、コンピュータ）によって読取可能な形態で情報を記憶するための任意の機構を含む。例えば、マシン可読（例えば、コンピュータ可読）媒体は、読取専用メモリ（「ＲＯＭ」）等のマシン（例えば、コンピュータ）可読ストレージ媒体、ランダムアクセスメモリ（「ＲＡＭ」）、磁気ディスクストレージ媒体、光ストレージ媒体、フラッシュメモリデバイス等を含む。
【００４６】
前述の明細書では、本開示の実装は、その具体的な例示的実装を参照して説明されている。以下の請求項に記載されるような本開示の実装の広範囲の趣旨及び範囲から逸脱することなく、それに対する種々の修正がされ得ることは明白であろう。したがって、明細書及び図面は、限定的意味よりはむしろ例証的意味とみなされたい。
【図１Ａ】
2017528828.tif 000003
【図１Ｂ】
2017528828.tif 000004
【図２】
2017528828.tif 000005
【図３】
2017528828.tif 000006
【図４】
2017528828.tif 000007
【図５】
2017528828.tif 000008
【図６】
2017528828.tif 000009
【図７】
2017528828.tif 000010
【図８】
2017528828.tif 000011
【国際調査報告】
2017528828.tif 000012